(57)【要約】      （修正有）【課題】柄及び柄と扇ぎ面の接続部の強度を確保できる総紙製うちわを提供する。【解決手段】扇ぎ面は厚紙で広面形状に、中央柄４は扇ぎ面２の下部中央から下方に突出形成する。中央柄の両側に折り目５ａ，５ｂを介して中央柄と同じ横幅で右補強柄６ａ、左補強柄６ｂを連設し、右補強柄における折り目７ａに対向する側線を折り目として中央柄と同じ横幅の第２の右補強柄８ａを連設する。左右の補強柄の上部側縁は上方へ凸状に突出した形状に形成し、第２の右補強柄の上縁には円弧凸状の略扇形であって円弧両端と第２の右補強柄の側縁上端との間が中央柄の側縁上端から斜め上外方に拡がって延びる扇ぎ面の側縁と同形状に形成した補強片を延設する。各折り目を全て山折りに左補強柄、右補強柄、第２の右の補強柄の順に中央柄に折り重ねて接着固定する。【選択図】図１
0003163560.tif 000002
【実用新案登録請求の範囲】
【請求項１】
扇ぎ面と柄を共に厚紙で製作した紙製うちわであって、前記扇ぎ面は広面形状に形成されており、
前記柄は前記扇ぎ面の下部中央を手で握り得る横幅で下方に突出させて形成した中央柄と、該中央柄の両側に折り目を介して中央柄と同じ横幅で連設した右補強柄、左補強柄と、一方である右補強柄における前記折り目に対向する側線を折り目として中央柄と同じ横幅で連設した第２の右補強柄とからなり、前記左右の補強柄は上部側縁が上方へ凸状に突出した形状に形成され、前記第２の右補強柄の上縁には円弧凸状の略扇形であって円弧両端と第２の右補強柄の側縁上端との間が前記中央柄の側縁上端から斜め上外方に拡がって延びる前記扇ぎ面の側縁と同形状に形成された補強片が延設されており、
前記各折り目を全て山折りにして左補強柄、右補強柄、第２の右補強柄の順に中央柄に折り重ねて接着固定してあることを特徴とする紙製うちわ。
【請求項２】
請求項１に記載の紙製うちわにおいて、前記左側補強柄にも折り目を介して第２の右補強柄と同形状の第２の左補強柄を連設し、前記中央柄の右側に位置する二つの折り目は山折り、中央柄の左側に位置する二つの折り目は谷折りにして右補強柄、左補強柄、第２の右補強柄、第２の左補強柄の順に中央柄に折り重ねて接着固定してあることを特徴とする紙製うちわ。
【考案の詳細な説明】
【技術分野】
【０００１】
本考案は、扇ぎ面及び柄の全てを厚紙で製作したうちわに関する。
【背景技術】
【０００２】
暑い時期に街頭やスポーツ、祭り等の催し物会場において広告宣伝のためのうちわを無料配布することがしばしば行なわれる。無料配布するうちわは安価に量産できるものでなければならないため紙製のうちわが採用される。紙製のうちわには、厚紙製の扇ぎ面にプラスチック製の柄を取り付けたものもある。しかし、プラスチック製の柄を使用するうちわはコストがかかる上に焼却廃棄の際に有害ガスの発生する問題がある。
【０００３】
かかるコストと材料の問題のため柄の部分も厚紙とすることが考えられるが、その場合には扇ぎ面と柄の接続部分の強度を如何に確保するかが課題になる。例えば、特許文献１には、扇ぎ面の下部中央を下へ突出させて中央柄を設け、その両側へ補強板を隣接し、それを折り重ねて接着固定して重なり域を設け、重なり域より上に突出させた突出域を接着固定して補強した紙うちわが提案されている。しかし、この紙うちわの場合、柄部分は厚紙の３枚重ねで剛性が十分とはいえず、突出域も厚紙の２枚重ねで強度が十分確保されているとは言い難い。
【０００４】
また、特許文献２には、等しい形状の二枚重ねの板紙で構成した柄の把持部の上端に側縁が把持部の側縁から円弧凸状に斜め外上方に拡がって延びる把持部の横幅よりも大きな横幅を有する接続部を連続形成し、二枚の接続部間に扇ぎ面の基部を挟み込んで相互に固着した紙製うちわが提案されている。しかし、この紙製うちわの場合、扇ぎ面と柄とを別々に製作して組み立てるため製作に手間がかかる問題がある。
【０００５】
更に、特許文献３には、薄板状の送風体とその周縁の一部から延出する把持体からなり、把持体には延出方向と平行な山折り、谷折り折線を隣接して形成した幅広部が延出方向と直交する方向に形成され、該折線にて幅広部を折曲して柄を形成すると共に把持体の最外側の送風体に近い部位が送風体方向に延出されていてその延出部を送風体に設けた２個一対の切込みに挿入するようにした紙製うちわが開示されている。しかし、この紙製うちわの場合、延出部を送風体の切込みに挿入するのみであるので送風体と柄の接続部の強度が十分とはいえない。また、柄部分は把持体を折曲形成したのみであるので折曲部厚みが拡大して把持しにくくなる問題もある。
【先行技術文献】
【特許文献】
【０００６】
【特許文献１】特開平０８−３２２６２３号公報
【特許文献２】特開２００３−７０５１５号公報
【特許文献３】特開平０８−３３６４１１号公報
【考案の開示】
【考案が解決しようとする課題】
【０００７】
本考案は、従来技術のこうした問題点を解決するためになされたもので、その課題は扇ぎ面と柄を厚紙で製作したうちわであって、柄及び柄と扇ぎ面の接続部の強度を確保できる紙製うちわを提供することにある。
【課題を解決するための手段】
【０００８】
前記課題を解決するための請求項１に記載の考案は、扇ぎ面と柄を共に厚紙で製作した紙製うちわであって、扇ぎ面は広面形状に形成されており、柄は扇ぎ面の下部中央を手で握り得る横幅で下方に突出させて形成した中央柄と、該中央柄の両側に折り目を介して中央柄と同じ横幅で連設した右補強柄、左補強柄と、一方である右補強柄における前記折り目に対向する側線を折り目として中央柄と同じ横幅で連設した第２の右補強柄とからなり、左右補強柄は上部側縁が上方へ凸状に突出した形状に形成され、第２の右補強柄の上縁には円弧凸状の略扇形であって円弧両端と第２の右補強柄の側縁上端との間が中央柄の側縁上端から斜め上外方に拡がって延びる扇ぎ面の側縁と同形状に形成された補強片が延設されており、各折り目を全て山折りにして左補強柄、右補強柄、第２の右補強柄の順に中央柄に折り重ねて接着固定してあることを特徴とする紙製うちわである。
【０００９】
このような構成によれば、柄は４枚の厚紙を折り重ねて接着固定した構造になっているため十分な強度を有する。また、扇ぎ面と柄との境界部については、正面側は第２の右補強柄の上縁に延設した円弧凸状の略扇形補強片が扇ぎ面の下部境界を補強し、背面側は右左の補強柄の各上側縁に延設した２枚の凸状突出部が扇ぎ面の下部境界を補強している。これにより扇ぎ面と柄の境界部は十分な強度を有するため、うちわを強く振った際に空気抵抗により扇ぎ面に生ずる抗力を柄で十分に支えることができる。
【００１０】
また、請求項２に記載の考案は、請求項１に記載の紙製うちわにおいて、左側補強柄にも折り目を介して第２の右補強柄と同形状の第２の左補強柄を連設し、中央柄の右側に位置する二つの折り目は山折り、中央柄の左側に位置する二つの折り目は谷折りにして右補強柄、左補強柄、第２の右補強柄、第２の左補強柄の順に中央柄に折り重ねて接着固定してあることを特徴とする紙製うちわである。
【００１１】
このような構成によれば、柄は５枚の厚紙を折り重ねて接着固定した構造になっているため十分な強度が確保される。また、扇ぎ面と柄との境界部については、正面側は第２の左補強柄の凸状突出部と第２の右補強柄の上縁に延設した円弧凸状の略扇形補強片が扇ぎ面の下部境界を補強し、背面図側は第２の右補強柄の凸状突出部と第２の左補強柄の上縁に延設した円弧凸状の略扇形補強片が扇ぎ面の下部境界を補強している。これにより扇ぎ面と柄との境界部は十分な強度を有するため、うちわを強く振った際に空気抵抗により扇ぎ面に生ずる抗力を柄で十分に支えることができる。
【図面の簡単な説明】
【００１２】
【図１】第１の実施形態に係る紙製うちわ１を構成する厚紙の展開図である。
【図２】完成した紙製うちわ１の正面図である。
【図３】完成した紙製うちわ１の背面図である。
【図４】第２の実施形態に係る紙製うちわ１ａを構成する厚紙の展開図である。
【図５】完成した紙製うちわ１ａの正面図である。
【考案を実施するための形態】
【００１３】
以下、本考案に係る紙製うちわを実施形態に分けて説明する。
（第１の実施形態）
図１は第１の実施形態に係る紙製うちわ１を構成する厚紙の展開図、図２は完成品の正面図、図３は完成品の背面図である。紙製うちわ１は、打ち抜きで形成した図１の展開図に示す厚紙を図中の破線で示した折り目で折り畳んで接着固定して製作される。
【００１４】
風を起こす扇ぎ面２は厚紙で略円形の広面形状に形成されている。扇ぎ面２の下部中央から下方に向けて中央柄４が突出して形成されている。中央柄４は手で握り得る横幅で、見栄えと握り易さを考慮して先に向けて少し幅狭になるように形成してある。
【００１５】
中央柄４の両側には、右折り目線５ａ、左折り目線５ｂを挟んでそれぞれ右補強柄６ａ、左補強柄６ｂが連設してある。右補強柄６ａと左補強柄６ｂの横幅は中央柄４と同じにしてあり、上部側縁は上方へ凸状に突出した形状に形成してある。
【００１６】
更に、右補強柄６ａの右側には第２の右折り目線７ａを挟んで第２の右補強柄８ａが連設してある。第２の右補強柄８ａの横幅も中央柄４と同じにしてある。そして第２の右補強柄８ａの上縁には円弧凸状の略扇形補強片１０ａが延設してある。略扇形の円弧両端と第２の右補強柄８ａの側縁上端との間は、中央柄４の側縁上端から斜め上外方に拡がって延びる扇ぎ面２の側縁と同形状に形成してある。
【００１７】
このような形状の厚紙は打ち抜きにより形成される。このような構成の厚紙を用いてうちわ１を組み立てるには、最初に左折り目線５ｂを谷折りして左補強柄６ｂを中央柄４の背面に折り重ねる。次に、右折り目線５ａを谷折りして折り重ねた左補強柄６ｂの上に折り重ねる。最後に第２の右折り目線７ａを谷折りし、中央柄４、左補強柄６ｂを間に挟んだ状態で第２の右補強柄８ａを中央柄４の正面に折り重ねる。左補強柄６ｂ、右補強柄６ａ、第２の右補強柄８ａの折り重ね内面には予め接着剤を塗布しておき、折り重ねた状態で接着固定させる。
【００１８】
図２はこのようにして組み立てた完成品の正面図であり、最後に折り重ねた第２の右補強柄８ａが表面に表れている。第２の右補強柄８ａの上縁に延設した円弧凸状の略扇形補強片１０ａは、扇ぎ面２の下部に重なった状態になる。図３は完成品の背面図で、右補強柄６ａが表面に表れている。なお、右補強柄６ａは左補強柄６ｂを内側に、第２の右補強柄８ａは左補強柄６ｂと中央柄４を内側に挟んだ状態で折り畳む必要があるため、右折り目線５ａは厚紙１枚、第２の右折り目線７ａは厚紙２枚を内側に挟み込めるだけの幅をもたせて形成してある。
【００１９】
本実施形態の紙製うちわ１の柄３は、４枚の厚紙を折り重ねて接着固定した構造になっているため十分な強度が確保される。また、扇ぎ面２と柄３との境界部は、図２の正面側では第２の右補強柄８ａの上縁に延設した円弧凸状の略扇形補強片１０ａが扇ぎ面２の下部境界を補強し、図３の背面側では右左の補強柄６ａ、６ｂの各上側縁に延設した２枚の凸状突出部が扇ぎ面２の下部境界を補強している。これにより扇ぎ面２と柄３との境界部は十分な強度が確保されるので、うちわ１を強く振った際に空気抵抗により扇ぎ面２に生ずる抗力を柄３で十分に支えることができる。
【００２０】
（第２の実施形態）
図４は第２の実施形態に係る紙製うちわ１ａを構成する厚紙の展開図である。本実施形態の紙製うちわ１ａの厚紙が第１の実施形態の紙製うちわ１の厚紙と相違する点は、図４に示すように左補強柄６ｂの左側に第２の左折り目線７ｂを挟んで第２の右補強柄８ａと同形状の第２の左補強柄８ｂを連設した点にある。第２の左補強柄８ｂの上縁には第２の右補強柄８ａと同じように円弧凸状の略扇形補強片１０ｂが延設してある。
【００２１】
本実施形態のうちわ１ａを組み立てる際は、中央柄４より右側に位置する右折り目線５ａ、第２の右折り目線７ａは例えば山折りとし、中央柄４の左側に位置する左折り目線５ｂ、第２の左折り目線７ｂは反対に谷折りとする。折り畳む順序は、最初に右補強柄６ａを山折りで中央柄４の背面側に重ね、次に左補強柄６ｂを谷折りで中央柄４の正面側に重ねる。続いて第２の右補強柄８ａを山折りで左補強柄６ｂの上に重ね、最後に第２の左補強柄８ｂを谷折りで右補強柄６ａの上に重ねる。各補強柄の折り重ね内面には予め接着剤を塗布しておき、折り重ねた状態で接着固定させる。このようにして組み立てた完成品の正面図、背面図は共に図５に示したようになる。
【００２２】
本実施形態の紙製うちわ１ａは、柄３が５枚の厚紙を折り重ねて接着固定させた構造になっているため十分な強度が確保される。また、扇ぎ面２と柄３との境界部は、正面図側では第２の左補強柄８ｂの凸状突出部と第２の右補強柄８ａの上縁に延設した円弧凸状の略扇形補強片１０ａが扇ぎ面２の下部境界を補強し、背面図側では第２の右補強柄８ａの凸状突出部と第２の左補強柄８ｂの上縁に延設した円弧凸状の略扇形補強片１０ｂが扇ぎ面２の下部境界を補強している。これにより扇ぎ面２と柄３との境界部は十分な強度が確保されるので、うちわ１ａを強く振った際に空気抵抗により扇ぎ面２に生ずる抗力を柄３で十分に支えることができる。
【００２３】
なお、第２の右補強柄８ａは左補強柄６ｂと中央柄４を、第２の左補強柄８ｂは右補強柄６ａと中央柄４をそれぞれ内側に挟んだ状態で折り畳む必要があるため第２の右折り目線７ａ、第２の左折り目線７ｂは厚紙２枚を内側に挟み込めるだけの幅をもたせて形成してある。
【符号の説明】
【００２４】
図面中、１、１ａは紙製うちわ、２は扇ぎ面、３は柄、４は中央柄、５ａ、５ｂ、７ａ、７ｂは折り目、６ａは右補強柄、６ｂは左補強柄、８ａは第２の右補強柄、８ｂは第２の左補強柄、１０ａ、１０ｂは略扇形補強片を示す。
【図１】
0003163560.tif 000003
【図２】
0003163560.tif 000004
【図３】
0003163560.tif 000005
【図４】
0003163560.tif 000006
【図５】
0003163560.tif 000007